(57)【要約】【課題】芝生の活力を効果的に向上させる。【解決手段】芝の生えた地面ｇに深さ凡そ５ｃｍ〜１５ｃｍ程度、幅凡そ１０ｍｍ〜２５ｍｍ程度の線状の溝ｋ１を凡そ１０ｃｍ〜２５ｃｍ程度のピッチで形成し、該溝ｋ１のそれぞれに有機質養土ｙを供給すると共に、該供給後の有機質養土ｙを上方から押圧し、この後に、前記溝ｋ１の形成で掘り上げた土ｇ１を目土として前記溝ｋ１の形成された地面ｇに敷き均すように実施する。【選択図】図７
2005095042.tif 000002
【特許請求の範囲】
【請求項１】
芝の生えた地面に深さ凡そ５ｃｍ〜１５ｃｍ程度、幅凡そ１０ｍｍ〜２５ｍｍ程度の線状の溝を凡そ１０ｃｍ〜２５ｃｍ程度のピッチで左右方向の並列状に形成し、該溝のそれぞれに有機質養土を供給すると共に、該供給後の有機質養土を上方から押圧し、この後に、前記溝の形成で掘り上げた土を目土として敷き均すように実施することを特徴とする芝生地の活性化方法。
【請求項２】
芝の生えた地面に深さ凡そ５ｃｍ〜１５ｃｍ程度、幅凡そ１０ｍｍ〜２５ｍｍ程度の線状の溝を凡そ１０ｃｍ〜２５ｃｍ程度のピッチで左右方向の並列状に形成し、前記溝のそれぞれに有機質養土を供給すると共に、該供給後の有機質養土を上方から押圧し、この後に、前記溝の形成で掘り上げた土を目土として前記溝の形成された地面に敷き均すという一連の処理を動力作動手段を用いて実施することを特徴とする芝生地の活性化方法。
【請求項３】
請求項１又は２記載の有機質養土は生ゴミ堆肥又は汚泥コンポストを主成分としたものであること。
【請求項４】
請求項３記載の有機質養土に対象地面の土壌状態を最適化させるような非有機質分を混合させること。
【請求項５】
芝の生えた地面に深さ凡そ５ｃｍ〜１５ｃｍ程度、幅凡そ１０ｍｍ〜２５ｍｍ程度の線状の溝を形成するものとした溝形成処理部と、該処理部で形成された溝内に適当流量で有機質養土を落下させるものとした養土供給部と、該供給部で落下された前記溝内の有機質養土を下方へ押圧して圧縮させるものとした養土押圧部とを備えたことを特徴とする芝生地に有機質養土を供給する装置。
【請求項６】
芝の生えた地面に深さ凡そ５ｃｍ〜１５ｃｍ程度、幅凡そ１０ｍｍ〜２５ｍｍ程度の線状の溝を形成するものとした溝形成処理部と、該処理部で形成された溝内に適当流量で有機質養土を落下させるものとした養土供給部と、該供給部で落下された前記溝内の養土を下方へ押圧して圧縮させるものとした養土押圧部とを左右方向へ複数並列させたことを特徴とする芝生地に有機質養土を供給する装置。
【請求項７】
芝の生えた地面を深さ凡そ２ｃｍ〜３ｃｍで縦向きに切り込んだ切線を形成するものとした切線形成部と、該切線個所に深さ凡そ５ｃｍ〜１５ｃｍ程度、幅凡そ１０ｍｍ〜２５ｍｍ程度の線状の溝を形成するものとした溝形成処理部と、該処理部で形成された溝内に適当流量で有機質養土を落下させるものとした養土供給部と、該供給部で落下された前記溝内の養土を下方へ押圧して圧縮させるものとした養土押圧部とを備えたことを特徴とする芝生地に有機質養土を供給する装置。
【請求項８】
養土供給部が、有機質養土を収容するための容器と、該容器の下方に位置され左右方向で正対され前方視で下狭まり状に配置され前進中に前記地面との接触で溝上を転動される２枚の養土案内回転ディスクと、前記容器内の有機質養土を前記２枚の養土案内回転ディスクの間個所の前半分範囲内に定量的に落下させるための養土繰出し装置及び落下案内部位とを備えたものとなされており、また前記養土押圧部が、前記溝内に嵌り込んで前記地面との接触で転動するものとなされた養土鎮圧回転ディスクを備えており、該養土鎮圧回転ディスクは前記２枚の養土案内回転ディスクの後側に位置されると共に前部が前記２枚の養土案内回転ディスクの間個所の後半分範囲内に位置されていることを特徴とする請求項５、６又は７記載の芝生地に有機質養土を供給する装置。
【請求項９】
前記溝切り爪の堀り上げた土を前記溝形成処理部に対応した左右幅で地面に敷き均すものとした敷き均し手段を前記養土鎮圧回転ディスクの後側に設けたことを特徴とする請求項５、６、７又は８記載の芝生地に有機質養土を供給する装置。
【発明の詳細な説明】
【技術分野】
【０００１】
本発明は、芝生に有機質養土を供給する方法とその装置に関する。
【背景技術】
【０００２】
例えば校庭などの芝生では、とくに踏圧をうける個所は、すりきれ消耗がひどく、時には再生不能となる場合もある。そのすりきれの症状を観察すれば、表土が固結して沈み、反対に芝の根茎が浮き上がって表面にあらわれ、さらに乾燥と衝撃でその根茎が枯死して行くのである。
【０００３】
これを防止する方法として、過度の使用を制限することに加えて、表面に現れた根茎を保護し芝生に活力を与えるように、目土と肥料養分を施用することが行なわれている。
その施用方法は、症状によって加減しつつ一定量(目土は２ミリ〜５ミリ厚)を年間に１〜３回、芝地表面に散布するのである。
【０００４】
このような処理を行うことのできる装置としては、例えば特許文献１に示すようなものが存在している。
【特許文献１】特開平１０−０５６８４０号公報
【発明の開示】
【発明が解決しようとする課題】
【０００５】
上記した目土と肥料養分の施用において、目土は意図通りの効果があるとしても、肥料は根茎層の下から地中に伸びている不定根によって吸収されるのであり、降雨や散水によって地中に深く浸透することによって、はじめて効果が生じるものである。
したがって、化成肥料は時日の経過によりその効果が得られるとしても有機質の堆肥やコンポスト、粒状の多孔質改良剤など(以後有機質養土と言う)は浸透することはなく地表に層として残り、目的を達することは出来ない。まして固結した表土にあってはなおさらのことである。
【０００６】
また従来はこの固結の解消は根に水、酸素を供給するため、芝生の上から機械で孔あけをする方法が行なわれたが、根茎に与えるダメージのため面積に対しての孔の数には自ずから限度があり、その効果は不充分である。また表面に散布する肥料や有機質養土のその孔に入るものは僅かであり効果はあまり期待出来ない。
【０００７】
本発明は、例えば校庭、ゴルフ場又は競技場などの芝生に上記有機質養土をその効果が有効に得られるように、また水や酸素が充分に供給されると共に芝の損傷が出来るだけ回避されるように施用することを可能となして、芝生の活力を効果的に向上させることを目的とするものである。
【課題を解決するための手段】
【０００８】
上記目的を達成するため、本発明に係る方法では、請求項１に記載したように、芝の生えた地面に深さ凡そ５ｃｍ〜１５ｃｍ程度、幅凡そ１０ｍｍ〜２５ｍｍ程度の線状の溝を凡そ１０ｃｍ〜２５ｃｍ程度のピッチで左右方向の並列状に形成し、該溝のそれぞれに有機質養土を供給すると共に、該供給後の有機質養土を上方から押圧し、この後に、前記溝の形成で掘り上げた土を目土として前記溝の形成された地面に敷き均すように実施する。
このようにすれば、芝生の根茎層が過度に損傷することなく有機質養土が該根茎層の下方の不定根層に対し均等に存在した状態となり、芝の不定根は有機質養土の養分を効率的に吸収するようになる。また前記溝は芝生の不定根層に対し均等に存在するため芝の不定根は酸素や水を充分に供給されるようになるのであり、さらに前記目土は地面の土壌と同一であるため、芝の活力向上に有益であるほか、有機質養土を覆ってその臭気を遮断するものとなる。
【０００９】
さらに好ましくは、請求項２に記載したように、芝の生えた地面に深さ凡そ５ｃｍ〜１５ｃｍ程度、幅凡そ１０ｍｍ〜２５ｍｍ程度の線状の溝を凡そ１０ｃｍ〜２５ｃｍ程度のピッチで左右方向の並列状に形成し、ホッパー内に予め収容させた有機質養土を前記溝のそれぞれに供給すると共に、該供給後の有機質養土を上方から押圧し、この後に、前記溝の形成で掘り上げた土を目土として前記溝の形成された地面に敷き均すという一連の処理を動力作動手段を用いて実施するのである。
これによれば、請求項１記載の発明と同様な作用が得られる上に、有機質養土が省力的に施用される。
【００１０】
この際、請求項３に記載したように、前記有機質養土は生ゴミ堆肥又は汚泥コンポストを主成分としたものとなすのが好ましいのであり、このようにすれば生ゴミ堆肥や汚泥コンポストの利用が促進される。また請求項４に記載したように、前記有機質養土は有機質分のほか、前記地面の土壌状態を最適化させるような非有機質分を混合させたものとなすこともできるのであり、このようにすれば芝生の土壌状態が迅速に芝生に適合した状態となる。
【００１１】
次に本発明に係る装置では、請求項５に記載したように、芝の生えた地面に深さ凡そ５ｃｍ〜１５ｃｍ程度、幅凡そ１０ｍｍ〜２５ｍｍ程度の線状の溝を形成するものとした溝形成処理部と、該処理部で形成された溝内に適当流量で有機質養土を落下させるものとした養土供給部と、該供給部で落下された前記溝内の有機質養土を下方へ押圧して圧縮させるものとした養土押圧部とを備えた構成となす。これによれば、請求項１記載の発明を機械的に実施することが可能となる。
【００１２】
さらに具体的には、請求項６に記載したように、芝の生えた地面に深さ凡そ５ｃｍ〜１５ｃｍ程度、幅凡そ１０ｍｍ〜２５ｍｍ程度の線状の溝を形成するものとした溝形成処理部と、該処理部で形成された溝内に適当流量で有機質養土を落下させるものとした養土供給部と、該供給部で落下された前記溝内の養土を下方へ押圧して圧縮させるものとした養土押圧部とを左右方向へ複数並列させた構成となす。これによれば請求項５記載の発明と同様な作用が得られる上に、有機質養土の供給が同時に複数の溝に対して行われるようになる。
【００１３】
また請求項７に規制したように、芝の生えた地面を深さ凡そ２ｃｍ〜３ｃｍで縦向きに切り込んだ切線を形成するものとした切線形成部と、該切線個所に深さ凡そ５ｃｍ〜１５ｃｍ程度、幅凡そ１０ｍｍ〜２５ｍｍ程度の線状の溝を形成するものとした溝形成処理部と、該処理部で形成された溝内に適当流量で有機質養土を落下させるものとした養土供給部と、該供給部で落下された前記溝内の養土を下方へ押圧して圧縮させるものとした養土押圧部とを備えた構成となすこともできる。これによれば請求項５記載の発明と同様な作用が得られる上に、根茎層は前記切線個所で切り離されるため、前記溝形成処理部は根茎層を過度に掻き乱すことなく溝を形成するようになる。
【００１４】
上記した請求項５、６又は７記載の発明は、次のように具体化するのがよいのであって、即ち、請求項８に記載したように、前記養土供給部が、有機質養土を収容するための容器と、該容器の下方に位置され左右方向で正対され前方視で下狭まり状に配置され前進中に前記地面との接触で溝上を転動される２枚の養土案内回転ディスクと、前記容器内の有機質養土を前記２枚の養土案内回転ディスクの間個所の前半分範囲内に定量的に落下させるための養土繰出し装置及び落下案内部位とを備えたものとなされており、また前記養土押圧部が前記溝内に嵌り込んで前記地面との接触で転動するものとなされた養土鎮圧回転ディスクを備えており、該養土鎮圧回転ディスクは前記２枚の養土案内回転ディスクの後側に位置されると共に前部が前記２枚の養土案内回転ディスクの間個所の後半分範囲内に位置されている構成となす。
【００１５】
これによれば、前記２枚の養土案内回転ディスクは有機質養土を前記溝内に連続的且つ的確に供給する上で寄与し、また前記養土鎮圧回転ディスクは前記２枚の養土案内回転ディスクの間個所で前記溝内に落下過程の或いは落下直後の有機質養土を下方へ押圧するようになるため、有機質養土は一層的確に前記溝内に押し込まれては圧縮されるようになる。
【００１６】
また請求項９に記載したように、前記溝切り爪の堀り上げた土を前記溝形成処理部に対応した左右幅で地面に敷き均すものとした敷き均し手段を前記養土鎮圧回転ディスクの後側に設ける。これによれば、前記溝内へ有機質養土が供給された後、これに連続して前記敷き均し手段が目土の敷き均し処理を行うようになる。
【発明の効果】
【００１７】
上記のように構成した本発明によれば、以下のような効果が得られる。
即ち、請求項１に記載のものによれば、芝の不定根に有機質養土の養分を有効に吸収させることができると共に酸素や水を充分に供給することができ、また目土を芝生の土壌と同一となして芝に馴染ませることができるのであり、これにより芝生の活力が効果的に向上されるのであり、さらには芝生に施用する化成肥料や農薬を大幅に削減することを可能となし、また目土材料の購入を不要となしてコスト低減が図られるのである。
【００１８】
請求項２記載のものによれば、請求項１記載の発明と同様な効果が得られる上に、有機質養土を省力的に施用することができる。
【００１９】
請求項３記載のものによれば、生ゴミ堆肥や汚泥コンポストの使用により、有益な環境リサイクルの増進を図ることができる。
また生ゴミ堆肥や汚泥コンポストの中には多量の放線菌が含まれており、これが芝生の病原菌(糸状菌)に拮抗することは芝草学会の多数の論文で証明されているが、これを日光に曝さず土壌中に入れ込むことは病害予防として非常に有効となる。
【００２０】
請求項４記載のものによれば、芝生の土壌状態が迅速に最適化されるため、芝生の活力促進を一層早く実現させることができる。
【００２１】
請求項５記載のものによれば、請求項１記載の発明を機械的且つ省力的に実施することができる。
【００２２】
請求項６記載のものによれば、請求項５記載の発明と同様な効果が得られる上に、芝生に有機質養土を少ない手間で均等にしかも能率的に供給することができる。
【００２３】
請求項７記載のものによれば、請求項５記載の発明と同様な効果が得られる上に、有機質養土の供給を、芝の損傷を抑制しつつ少ない動力で行うことができる。
【００２４】
請求項８記載のものによれば、前記２枚の養土案内回転ディスクにより有機質養土を溝内へ連続的且つ的確に案内させることができ、また前記養土鎮圧回転ディスクにより有機質養土を溝内に的確に押し込ませて圧縮させることができて前記溝内の有機質養土を的確に目土で覆うことができる。
【００２５】
請求項９記載のものによれば、芝生への有機質養土の供給処理と同時に、前記溝形成処理部の堀りあげた土を目土として芝生表面に省力的に敷き均すことができるのであり、この際、目土が芝生の土壌と同一となるため、芝生の活力は一層効果的に向上する。
【発明を実施するための最良の形態】
【００２６】
図１は本発明に係る装置の使用状態を示す図、図２は前記装置の側面視断面図、図３は前記装置の要部を示す平面図、図４は前記装置の溝形成処理部の溝切り爪を示す図、図５は前記装置の養土供給部の一部を示す断面図、図６は前記装置の溝形成処理部で芝生に溝を形成した状態を示す断面図、図７は前記装置で有機質養土を芝生に供給した状態を示す図である。
【００２７】
図１〜図３に示すように、本発明に係る芝生に有機質養土を供給する方法を実施する際に使用される動力作動手段としての装置は、芝の生えた地面（芝生）ｇを深さ凡そ２ｃｍ〜３ｃｍ程度で縦向きに切り込んだ切線ｋを形成するものとした切線形成部１と、該切線ｋ個所に深さ凡そ５ｃｍ〜１５ｃｍ程度、幅凡そ１０ｍｍ〜２５ｍｍ程度の線状の溝ｋ１を形成するものとした溝形成処理部２と、該処理部２で形成された溝ｋ１内に適当流量で有機質養土ｙを落下させるものとした養土供給部３と、該供給部３で落下された前記溝ｋ１内の有機質養土ｙを下方へ押圧して圧縮するものとした養土押圧部４とを備えたものであって、装置の全体がトラクタＴの後部にリンク機構Ｒを介して支持されるものとなしてある。
【００２８】
先ず切線形成部１について説明すると、トラクタＴに下部リンクｒ１と上部リンクｒ２とを介して支持された左右向き伝動ケース５の各端部に第１チェーン伝動ケース６ａと第１支持アーム６ｂをそれぞれの上端部回りの角度変更調整可能に設け、これら第１チェーン伝動ケース６ａと第１支持アーム６ｂとの下端部間に回転駆動軸７を装着すると共にこの回転駆動軸７の長手方向一定間隔位置毎に縦切り回転ディスク８を固定し、該回転駆動軸７が第１チェーン伝動ケース６ａと第１支持アーム６ｂの角度変更調整により高さ変更されると共にトラクタＴの図示しないエンジンの回転を左右向き伝動ケース５及び第１チェーン伝動ケース６ａを経て伝達されて回転駆動されるものとなしてある。この際、左右向き伝動ケース５内の回転方向ｆ０１は第１チェーン伝動ケース６ａ内に至る過程で図示しないギヤ伝動機構を介して逆向きｆ０２に変更され、縦切り回転ディスク８は矢印方向ｆ２へ回転される。
【００２９】
次に溝形成処理部２について説明すると、前記左右向き伝動ケース５の各端部に第２チェーン伝動ケース９ａと第２支持アーム９ｂを固定状に設け、これら第２チェーン伝動ケース９ａと第２支持アーム９ｂとの下端部間に爪軸１０を回転可能に装着すると共に該爪軸１０の長手方向一定間隔位置毎の前記縦切り回転ディスク８の真後ろ個所の周方向上の４個所に溝切り爪１１を固定し、これら溝切り爪１１の上方にはこれの回転軌跡の上外方を覆うものとした爪カバー体１２を伝動ケース１や第２支持アーム９ｂなどと同体状に設けると共に、該爪カバー体１２の左右側部に一対のゲージ輪１３を該カバー体１２に対し上下位置の変更調整可能に装着し、爪軸１０がゲージ輪１３の上下位置変更により地上高さを調整されると共にトラクタＴのエンジンの回転を左右向き伝動ケース５及び第２チェーン伝動ケース９ａを経て伝達されて回転駆動されるものとなしてある。
【００３０】
この際、溝切り爪１１は図４に示すようなものとなされるのであって、即ち、回転方向ｆ１の後側へ後退した形状となされると共に回転方向ｆ１の幅ｂを基端１１ａからその半径方向長さＬの凡そ半分範囲までは比較的広く形成され、また基端１１ａからその半径方向長さＬの凡そ半分範囲よりも外側は先方へ向かうに伴って漸次に小さくなされ、先端部１１ａｂの各側面個所に前記溝ｋ１幅に対応した特定厚さの板片１１ｃ、１１ｃを固着したものとなされており、爪軸１０への固定においては爪軸１０の特定位置にフランジ１０ａを固着して該フランジ１０ａの爪軸１０回りの９０度間隔位置の４個所に複数のボルトで固定される。
【００３１】
次に養土供給部３について説明すると、次のとおりである。
即ち、有機質養土ｙを収容するための容器１４と、該容器１４内の有機質養土ｙを下方へ定量的に繰り出すための養土繰出し装置１５と、該繰出し装置１５で繰り出された有機質養土ｙを下方の特定位置に落下させるための落下案内部位としての落下案内管１６と、該落下案内管１６から落下された有機質養土ｙを地面ｇ上の特定細幅個所に落下させる養土落下ディスク案内装置１７とを備え、これら各部が支持枠部材１８に同体状に装設されると共に、該支持枠部材１８を前記溝形成処理部２の固定部に左右向き支点軸１９を介して上下揺動可能に結合されている。
【００３２】
この際、容器１４は平面視方形状となされていて、底部１４ａの前面ａ１と後面ａ２を対称状に傾斜させて底部１４ａを側面視ホッパー状に形成され、図５に示すように底部１４ａの最下部を側面視円弧状となされると共に縦切り回転ディスク８に対応した左右方向上の一定間隔位置毎に透孔ｃ１を形成したものとなされており、また養土繰出し装置１５は底部１４ａの最下部に密状に近接させて配置された繰出しロール２０と、該ロール２０を任意な回転速度で回転駆動するものとした図２に示す直流モータ２１とを備え、繰出しロール２０の周面には左右方向の養土汲出し溝ｄが形成されると共に、前記透孔ｃ１のそれぞれに連通した合成樹脂製の前記落下案内管１６が容器１４の底部１４ａに透孔ｃ１と連通した状態に固着された結合管ｃ２から下方へ延出されたものとなされており、また養土落下ディスク案内装置１７は、該容器１４の下方に位置され左右方向で正対され前方視で下狭まり状に配置され前進中に地面ｇとの接触で転動される図３に示す２枚の養土案内回転ディスク２２、２２と、これら回転ディスク２２、２２の間個所の前半部範囲の前寄り個所を埋める略台形状となされた傾斜案内板２３とを備え、該傾斜案内板２３上に落下案内管１６の下端開口を位置されたものとなされている。
【００３３】
次に養土押圧部４について説明すると、次のとおりである。
即ち、前記養土供給部３の養土案内回転ディスク２２、２２の後側となる支持枠部材１８部分の左右個所に下方へ突出させた支持部材２４を固着し、該支持部材２４のそれぞれに軸受部材２５を固定し、これら軸受部材２５に回転中心軸２６を回動自在に支持させると共に、該回転中心軸２６の左右方向の一定間隔位置毎で前記縦切り回転ディスク８に対応した個所に養土鎮圧回転ディスク２７を固定し、各養土鎮圧回転ディスク２７の前部をこれに対応した前記２枚の養土案内回転ディスク２２、２２間の後半分範囲に入り込ませた構成としている。
【００３４】
さらに前記養土鎮圧回転ディスク２２、２２の後側には前記溝切り爪１１の堀り上げた土を前記溝形成処理部２に対応した左右幅の範囲で地面ｇ上に敷き均すものとした敷き均し手段２８が設けてある。該手段２８は支持枠部材１８と同体状個所から後側へ引張用チェーン２９、２９を延出させて、これの後端に２本の横向き棒３０、３１を介して、スチール製のマット３２を前後配置に結合したものとなされている。この際、スチール製のマット３２は多数の金属製のブレード片を面状に結合したもので全体が地面に倣いつつ地面上を滑り移動され地面上の流動性土壌を掻き均すように作用するものであり、例えば多重ブレードなどと称されているものもこれに含まれる。
【００３５】
次に上記のように構成した本発明に係る装置の使用例及び作動を説明する。
溝切り爪１１に対する縦切り回転ディスク８の高さを最適状態に調整し、また溝切り爪１１に対するゲージ輪１３の高さを最適状態に調整する。また容器１４内には例えば７０ｋｇ〜８０ｋｇ程度の有機質養土ｙを収容させる。
【００３６】
有機質養土ｙの配合内容については、現地土壌を調査するなどして、生ゴミ堆肥や汚泥コンポストを主体とした効果的なものとなすのであり、必要に応じて、地面ｇの土壌状態を最適化させるような有機質分や非有機質分を混合させる。例えば、肥料分の少ない場合は鶏糞や牛糞堆肥などの肥料分を、逆に肥料過多の場合はゼオライトや多孔質改良剤などを、また特に固結が問題とされる場合はゴムチップなどを、また排水不良の場合は粗砂など排水材を配合する。
【００３７】
ここで使用される有機質養土ｙはペレット状、粒状、粉状、砂状又は堆肥状の何れの状態のものも含まれるが、液状やペースト状のものは含まれない。
さらに有機質養土ｙは芝生の病原菌(糸状菌)に拮抗する放線菌を含む生ゴミ堆肥や汚泥コンポストを主体としたものが好ましいのであり、これの施用によって肥料成分の緩衝能とＰＨ緩衝能が強められ、また放線菌による病害予防の効果が向上する。
【００３８】
この状態とした後、トラクタＴに操縦者が乗って装置全体を降下させゲージ輪１３を接地させて歩行速度程度で前進させて各部を作動させる。装置全体の前進中には、先ず多数の縦切り回転ディスク８がトラクタＴのエンジンから回転を伝達されて正回転（矢印方向ｆ２の回転）されることによりその周囲を掻き乱すことなく芝生を深さ凡そ２ｃｍ〜３ｃｍ程度で円滑且つ連続的に縦切りするのである。これにより図６に示す芝生ｇの根茎層ｓ１の全厚が各縦切り回転ディスク８により切線ｋ個所で切り離される。
【００３９】
各縦切り回転ディスク８の真後ろでは溝切り爪１１が前記エンジンの回転を伝達されて逆回転（矢印方向ｆ１の回転）されつつトラクタＴで前進移動されることにより、図６に示すように縦切り回転ディスク８の切線ｋ個所を根茎層ｓ１の過度な損傷を生じさせることなく掘削して深さ凡そ５ｃｍ〜１５ｃｍ程度、幅凡そ１０ｍｍ〜２５ｍｍ程度の複数の溝ｋ１を、左右方向の溝ピッチｐが凡そ１０ｃｍ〜２５ｃｍ程度となるように連続的に形成する。この際の溝切り爪１１の回転に要する動力は切線ｋの存在により比較的小さいものとなる。こうして溝ｋ１が形成された後では溝ｋ１は芝の不定根ｎの深さのほぼ全範囲に及ぶものとなり、また溝ｋ１の形成に際して掘り上げられた土ｇ１は溝ｋ１の開口の左右個所に盛り上がり状に存在した状態となる。
【００４０】
また溝切り爪１１の後側で各縦切り回転ディスク８の真後ろとなる個所では、該個所に対応する２枚の養土案内回転ディスク２２、２２の最下部がこれに対応する溝ｋ１の開口に嵌り込んだ状態で接地し、養土案内回転ディスク２２、２２はトラクタＴで前進移動されることにより地面ｇとの摩擦による回転力を付与されて回転しつつ溝ｋ１の開口を辿るように移動される。この一方では繰出しロール２０が直流モータ２１により特定方向へ適当に調整された一定速度で回転され、容器１４内の有機質養土を養土汲出し溝ｄを介して適当な一定流量で透孔ｃ１から繰り出すのであり、このように繰り出した有機質養土ｙは落下案内管１６を通じてその対応する２枚の養土案内回転ディスク２２、２２の間個所の前半分範囲で傾斜案内板２３の上側個所に落下され、続いて該２枚の養土案内回転ディスク２２、２２の間個所の最下部に移動される。この際、２枚の養土案内回転ディスク２２、２２の回転は有機質養土ｙの下方移動を促進させ、また傾斜案内板２３は２枚の養土案内回転ディスク２２、２２の前方へ有機質養土ｙが散乱するのを阻止して２枚の養土案内回転ディスク２２、２２の最下部へ向け重力作用により流下させる。こうして２枚の養土案内回転ディスク２２、２２の間個所の最下部に到達した有機質養土ｙはその多くが重力作用により溝ｋ１内に落下する。
【００４１】
上記２枚の養土案内回転ディスク２２、２２の間個所の後半分範囲内ではその対応する養土鎮圧回転ディスク２７が該２枚の養土案内回転ディスク２２、２２の接地による支持力で特定高さに支持されると共にその最下部がその対応する溝ｋ１内に嵌り込んだ状態となって、該溝ｋ１内に落下された有機質養土ｙの上面を押圧しつつ該２枚の養土案内回転ディスク２２、２２と同体状にトラクタＴで前進移動されるのであり、この移動中、地面ｇや有機質養土ｙとの接触抵抗により回転力を付与されて回転作動される。該養土鎮圧回転ディスク２７の回転は該２枚の養土案内回転ディスク２２、２２の間個所の最下部に溜まっている有機質養土ｙを溝ｋ１内へ移動させる上で寄与する。こうして養土供給部３はトラクタＴで前進移動されつつ容器１４内の有機質養土ｙを各溝ｋ１内に特定流量で供給しつつその対応する養土鎮圧回転ディスク２７で各溝ｋ１内の有機質養土ｙの上面を特定深さ（例えば１ｃｍ〜３ｃｍ程度）となすように連続的に圧縮する。
【００４２】
そして養土鎮圧回転ディスク２７の後側ではスチール製のマット３２が地面ｇに倣いつつトラクタＴで前進移動されるのであり、該前進移動中、溝切り爪１１で堀り上げられて図６に示すように地面ｇ上に盛り上がり状となされた土ｇ１は多数のブレード片で厚さ凡そ２ｍｍ〜５ｍｍ程度に敷き均されて芝の目土となされ、図７に示すように溝ｋ１内の有機質養土ｙや地面ｇ上を覆った状態となる。
【００４３】
上記実施例において、縦切り回転ディスク８とこれに関連した支持機構及び駆動機構は省略しても差し支えないものであり、これを省略したときは溝切り爪１１による溝形成処理において芝の損傷が増大すると共に所用動力が増大する傾向となるが、作業が不可能となるものではない。
【００４４】
また敷き均し手段２８を省略してもよいのであり、この場合は、芝生へ有機質養土を供給した後に、別途、目土としての土ｇ１の敷均し処理のみの作業を行うのである。溝ｋ１の形成時に土の水分が過剰であるようなときなどには、土が充分に乾燥した後に、その敷均し処理のみを別途に行った方がよい場合がある。
【実施例１】
【００４５】
本発明方法の実施により１ｍ２当たり約５００ｇの乾燥鶏糞を養土として施用した芝地は、施用しなかった芝地に比較して、短時日(１週間程度)で著しく緑色が増し、その後も化成肥料施用を省略しても旺盛な生育をした。
【実施例２】
【００４６】
毎年５月下旬及び９月中旬に、葉腐病(リゾクトニアラージパッチ)が発生する病害常習の芝地に、本発明方法の実施により１平方メートル当たり５００ｇの汚泥コンポストを養土として施用し、観察したところ、春秋とも１個所も発生を発見せず、施用しなかった個所には例年通りの発生を見た。
【図面の簡単な説明】
【００４７】
【図１】本発明に係る装置の使用状態を示す図である。
【図２】前記装置の側面視断面図である。
【図３】前記装置の要部を示す平面図である。
【図４】前記装置の溝形成処理部の溝切り刃を示し、Ａは側面図でＢは回転半径方向外側から見た図である。
【図５】前記装置の養土供給部の一部を示す断面図である。
【図６】前記装置の溝形成処理部で芝生に溝を形成した状態を示す断面図である。
【図７】前記装置で有機質養土を芝生に供給した状態を示す図である。
【符号の説明】
【００４８】
１  切線形成部
２  溝形成処理部
３  養土供給部
４  養土押圧部
１１  溝切り爪
１４  容器
１６  落下案内部位（落下案内管）
２２  養土案内回転ディスク
２７  養土鎮圧回転ディスク
２８  敷き均し手段
ｇ  芝の生えた地面（芝生）
ｇ１  土
ｋ  切線
ｋ１  溝
ｐ  ピッチ
ｙ  有機質養土
【図１】
2005095042.tif 000003
【図２】
2005095042.tif 000004
【図３】
2005095042.tif 000005
【図４】
2005095042.tif 000006
【図５】
2005095042.tif 000007
【図６】
2005095042.tif 000008
【図７】
2005095042.tif 000009